(57)【要約】【課題】  ＩＰ電話機のＩＰ−ＰＢＸへのＬＡＮ接続時に、ＩＰ−ＰＢＸによりＩＰ電話機のＭＡＣアドレスと関連付けて電話番号、ＩＰアドレスを自動的に付与して、システム構築時等の煩雑な設定作業を無くし、ＩＰ電話システム構築コストを大幅に削減する。【解決手段】  ＩＰ−ＰＢＸ１に複数のＩＰ電話機を接続したＩＰ電話システムを構築する際に、ＩＰ電話機３−１のＬＡＮ接続時に当該ＩＰ電話機のＭＡＣアドレスをＩＰ−ＰＢＸ１に送信し、ＭＡＣアドレステーブル１０を参照して、運用対象ＩＰ電話機か否かを判定し、運用対象ＩＰ電話機の場合に、電話番号・ＩＰアドレステーブル１１を参照して割当可能な一対の電話番号およびＩＰアドレスを読み出してＩＰ電話機３−１に順次または同時に送信して、割当済みの電話番号およびＩＰアドレスに使用済みフラグを立て、受信した電話番号およびＩＰアドレスをＩＰ電話機３−１内に格納する。【選択図】図１
2006108876.tif 000002
【特許請求の範囲】
【請求項１】
ＩＰ構内交換機と、該ＩＰ構内交換機にＬＡＮ接続される複数のＩＰ電話機とを備えるＩＰ電話システムにおいて、前記複数のＩＰ電話機のそれぞれに固有の電話番号および固有のＩＰアドレスを割り付けて運用するに際し、
１台のＩＰ電話機のＩＰ構内交換機へのＬＡＮ接続時に、当該ＩＰ電話機に登録されているＭＡＣ（Ｍｅｄｉａ  Ａｃｃｅｓｓ  Ｃｏｎｔｒｏｌ）アドレスを読み出して前記ＩＰ構内交換機に送信する工程と、
前記ＩＰ構内交換機に予め記憶されたＭＡＣアドレステーブルを参照することにより、受信したＭＡＣアドレスが運用対象ＩＰ電話機のものであるか否かを判定する工程と、
受信したＭＡＣアドレスが運用対象ＩＰ電話機のものである場合に、前記ＩＰ構内交換機に予め記憶された電話番号・ＩＰアドレステーブルを参照することにより、割当可能な一対の電話番号およびＩＰアドレスを読み出して、当該電話番号およびＩＰアドレスを前記１台のＩＰ電話機に順次または同時に送信するとともに、割当済みの電話番号およびＩＰアドレスに使用済みフラグを立てる工程と、
受信した電話番号およびＩＰアドレスを前記１台のＩＰ電話機内に格納する工程と、
を順次行うことを特徴とするＩＰ電話機の電話番号自動割付方式。
【請求項２】
ＩＰ構内交換機と、該ＩＰ構内交換機にＬＡＮ接続される複数のＩＰ電話機とを備えるＩＰ電話システムにおいて、前記複数のＩＰ電話機のそれぞれに固有の電話番号および固有のＩＰアドレスを割り付けて運用するに際し、
前記ＩＰ構内交換機からＬＡＮに、新規運用ＩＰ電話機向けメッセージを周期的に送信する工程と、
前記ＩＰ構内交換機への１台のＩＰ電話機のＬＡＮ接続に伴う前記新規運用ＩＰ電話機向けメッセージの受信時に、当該ＩＰ電話機に登録されているＭＡＣ（Ｍｅｄｉａ  Ａｃｃｅｓｓ  Ｃｏｎｔｒｏｌ）アドレスおよび仮ＩＰアドレスを読み出して前記ＩＰ構内交換機に送信する工程と、
前記ＩＰ構内交換機に予め記憶されたＭＡＣアドレステーブルを参照することにより、受信したＭＡＣアドレスおよび仮ＩＰアドレスが運用対象ＩＰ電話機のものであるか否かを判定する工程と、
受信したＭＡＣアドレスおよび仮ＩＰアドレスが運用対象ＩＰ電話機のものであった場合に、前記ＩＰ構内交換機に予め記憶された電話番号・ＩＰアドレステーブルを参照することにより、割当可能な一対の電話番号およびＩＰアドレスを読み出して、当該電話番号およびＩＰアドレスを順次または同時に前記１台のＩＰ電話機に送信するとともに、割当済みの電話番号およびＩＰアドレスに使用済みフラグを立てる工程と、
受信した電話番号およびＩＰアドレスを前記１台のＩＰ電話機内に格納する工程と、
を順次行うことを特徴とするＩＰ電話機の電話番号自動割付方式。
【請求項３】
ＩＰ電話機をＬＡＮ接続するためのＬＡＮインターフェースと、各種ＩＰ電話交換制御を司る制御部と、前記ＭＡＣアドレステーブルおよび前記電話番号・ＩＰアドレステーブルを含む各種情報を記憶する記憶部とを備え、接続を要求したＩＰ電話機に電話番号およびＩＰアドレスを自動割り付けする機能を有することを特徴とする、請求項１記載のＩＰ電話機の電話番号自動割付方式に用いるＩＰ構内交換機。
【請求項４】
ＩＰ電話機をＬＡＮ接続するためのＬＡＮインターフェースと、各種ＩＰ電話交換制御を司る制御部と、前記ＭＡＣアドレステーブル、前記電話番号・ＩＰアドレステーブルおよび前記新規運用ＩＰ電話機向けメッセージを含む各種情報を記憶する記憶部とを備え、新規運用ＩＰ電話機向けメッセージをＬＡＮに周期的に送信する機能と、接続を要求したＩＰ電話機に電話番号およびＩＰアドレスを自動割り付けする機能とを有することを特徴とする、請求項２記載のＩＰ電話機の電話番号自動割付方式に用いるＩＰ構内交換機。
【発明の詳細な説明】
【技術分野】
【０００１】
本発明は、ＩＰ構内交換機と、該ＩＰ構内交換機にＬＡＮ接続される複数のＩＰ電話機とを備えるＩＰ電話システムにおいて、ＩＰ構内交換機へのＬＡＮ接続時に、ＩＰ電話機に固有の電話番号および固有のＩＰアドレスを自動的に割り付けるＩＰ電話機の電話番号自動割付方式、およびそれに用いるＩＰ構内交換機に関するものである。
【背景技術】
【０００２】
従来のＩＰ電話システムとしては、ＩＰ電話サーバ（ＩＰ構内交換機）と、該ＩＰ電話サーバ（ＩＰ構内交換機）にＬＡＮ接続される複数のＩＰ電話機とを備えるＩＰ電話システム（例えば特許文献１、特許文献２参照）がある（以下、従来例１，従来例２という）。これら従来のＩＰ電話システムにおいて、ＩＰネットワークにＩＰ電話機を接続する際には、ＩＰアドレスをＤＨＣＰ経由で自動取得するか、固定的に割り付けたＩＰアドレスを使用するかを設定するとともに、ＩＰ構内交換機のＩＰアドレスをＩＰ電話機に設定する必要があり、上記２種類のＩＰアドレスの設定完了後にＩＰ電話機の接続が可能になる。そのため、複数のＩＰ電話機を接続するシステムの構築時（運用開始時）には、ＩＰ構内交換機側および接続する全てのＩＰ電話機側で上記ＩＰアドレスの設定を行い、複数のＩＰ電話機のそれぞれに固有の電話番号を割り付ける設定作業を行うとともに、前記複数のＩＰ電話機のそれぞれに割り付けた固有の電話番号および固有のＩＰアドレスをＩＰ電話サーバ（ＩＰ構内交換機）に登録する設定作業を行う必要があるので、設定時の作業ミス等も発生しやすく、また、ＩＰ電話機の交換時やＩＰ電話機の増設時等にも追加の設定作業が必要となる。
【０００３】
【特許文献１】特開２００３−９２６２９号公報
【特許文献２】特開２００４−１０４４８９号公報
【発明の開示】
【発明が解決しようとする課題】
【０００４】
上記従来例１のＩＰ電話システムのＩＰ電話サーバは、公報図１４に示す「ＩＰ電話機のＭＡＣアドレス、ＩＰアドレス、内線番号を関連付けて記憶したアドレステーブル」を有しているが、システムに追加されたＩＰ電話機から送信されたＩＰアドレス要求を受信したときに、ＩＰ電話サーバ側で所定の登録作業を行うことにより当該ＩＰ電話機のＭＡＣアドレスおよびＩＰアドレスをアドレステーブルに登録するとともに、システムに追加されたＩＰ電話機から送信された内線アドレス要求を受信したときに、ＩＰ電話サーバ側で所定の登録動作を行うことにより当該ＩＰ電話機の内線アドレスをアドレステーブルに登録するように構成されているため（公報図２〜図５を参照のこと）、大量のＩＰ電話機の追加を伴うシステム構築時には、上記２種類の設定作業をＩＰ電話機の台数分繰り返す必要があり、膨大な設定作業によってシステム構築コストが増大してしまう。
また、上記従来例２のＩＰ電話システムのサーバは、公報図６に示す「ＩＰ電話機のＩＰアドレスおよび電話番号を関連付けて記憶した端末アドレス情報格納テーブル」を有しているが、システムに追加するＩＰ電話機において「登録開始ボタン」、「登録終了ボタン」を含む各種ボタンを用いて登録操作を行うことにより、サーバ３の端末アドレス情報格納テーブル５に当該ＩＰ電話機のＩＰアドレスおよび電話番号を登録するように構成されているため、大量のＩＰ電話機の追加を伴うシステム構築時には、ＩＰ電話機側でそれぞれＩＰ電話機の設定作業を行う必要があり、膨大な設定作業によってシステム構築コストが増大してしまう。
【０００５】
本発明は、ＩＰ電話機のＩＰ構内交換機へのＬＡＮ接続を契機として、ＩＰ構内交換機によって当該ＩＰ電話機のＭＡＣアドレスと関連付けて電話番号およびＩＰアドレスを当該ＩＰ電話機に付与する登録動作を自動的に行うことにより、大量のＩＰ電話機の追加を伴うシステム構築時等の煩雑な設定作業を無くしてＩＰ電話システム構築コストを大幅に削減するようにした、ＩＰ電話機の電話番号自動割付方式を提供することを目的とする。
【課題を解決するための手段】
【０００６】
上記目的を達成するため、請求項１に記載の第１発明は、ＩＰ構内交換機と、該ＩＰ構内交換機にＬＡＮ接続される複数のＩＰ電話機とを備えるＩＰ電話システムにおいて、前記複数のＩＰ電話機のそれぞれに固有の電話番号および固有のＩＰアドレスを割り付けて運用するに際し、１台のＩＰ電話機のＩＰ構内交換機へのＬＡＮ接続時に、当該ＩＰ電話機に登録されているＭＡＣ（Ｍｅｄｉａ  Ａｃｃｅｓｓ  Ｃｏｎｔｒｏｌ）アドレスを読み出して前記ＩＰ構内交換機に送信する工程と、前記ＩＰ構内交換機に予め記憶されたＭＡＣアドレステーブルを参照することにより、受信したＭＡＣアドレスが運用対象ＩＰ電話機のものであるか否かを判定する工程と、受信したＭＡＣアドレスが運用対象ＩＰ電話機のものである場合に、前記ＩＰ構内交換機に予め記憶された電話番号・ＩＰアドレステーブルを参照することにより、割当可能な一対の電話番号およびＩＰアドレスを読み出して、当該電話番号およびＩＰアドレスを前記１台のＩＰ電話機に順次または同時に送信するとともに、割当済みの電話番号およびＩＰアドレスに使用済みフラグを立てる工程と、受信した電話番号およびＩＰアドレスを前記１台のＩＰ電話機内に格納する工程と、を順次行うことを特徴とする。
【０００７】
上記目的を達成するため、請求項２に記載の第２発明は、ＩＰ構内交換機と、該ＩＰ構内交換機にＬＡＮ接続される複数のＩＰ電話機とを備えるＩＰ電話システムにおいて、前記複数のＩＰ電話機のそれぞれに固有の電話番号および固有のＩＰアドレスを割り付けて運用するに際し、前記ＩＰ構内交換機からＬＡＮに、新規運用ＩＰ電話機向けメッセージを周期的に送信する工程と、前記ＩＰ構内交換機への１台のＩＰ電話機のＬＡＮ接続に伴う前記新規運用ＩＰ電話機向けメッセージの受信時に、当該ＩＰ電話機に登録されているＭＡＣ（Ｍｅｄｉａ  Ａｃｃｅｓｓ  Ｃｏｎｔｒｏｌ）アドレスおよび仮ＩＰアドレスを読み出して前記ＩＰ構内交換機に送信する工程と、前記ＩＰ構内交換機に予め記憶されたＭＡＣアドレステーブルを参照することにより、受信したＭＡＣアドレスおよび仮ＩＰアドレスが運用対象ＩＰ電話機のものであるか否かを判定する工程と、受信したＭＡＣアドレスおよび仮ＩＰアドレスが運用対象ＩＰ電話機のものであった場合に、前記ＩＰ構内交換機に予め記憶された電話番号・ＩＰアドレステーブルを参照することにより、割当可能な一対の電話番号およびＩＰアドレスを読み出して、当該電話番号およびＩＰアドレスを順次または同時に前記１台のＩＰ電話機に送信するとともに、割当済みの電話番号およびＩＰアドレスに使用済みフラグを立てる工程と、受信した電話番号およびＩＰアドレスを前記１台のＩＰ電話機内に格納する工程と、を順次行うことを特徴とする。
【０００８】
請求項３に記載の第３発明は、ＩＰ電話機をＬＡＮ接続するためのＬＡＮインターフェースと、各種ＩＰ電話交換制御を司る制御部と、前記ＭＡＣアドレステーブルおよび前記電話番号・ＩＰアドレステーブルを含む各種情報を記憶する記憶部とを備え、接続を要求したＩＰ電話機に電話番号およびＩＰアドレスを自動割り付けする機能を有することを特徴とする。
【０００９】
請求項４に記載の第４発明は、ＩＰ電話機をＬＡＮ接続するためのＬＡＮインターフェースと、各種ＩＰ電話交換制御を司る制御部と、前記ＭＡＣアドレステーブル、前記電話番号・ＩＰアドレステーブルおよび前記新規運用ＩＰ電話機向けメッセージを含む各種情報を記憶する記憶部とを備え、新規運用ＩＰ電話機向けメッセージをＬＡＮに周期的に送信する機能と、接続を要求したＩＰ電話機に電話番号およびＩＰアドレスを自動割り付けする機能とを有することを特徴とする。
【発明の効果】
【００１０】
第１発明によれば、ＩＰ構内交換機と、該ＩＰ構内交換機にＬＡＮ接続される複数のＩＰ電話機とを備えるＩＰ電話システムにおいて、前記複数のＩＰ電話機のそれぞれに固有の電話番号および固有のＩＰアドレスを割り付けて運用する際には、１台のＩＰ電話機のＩＰ構内交換機へのＬＡＮ接続時に、当該ＩＰ電話機に登録されているＭＡＣアドレスを読み出して前記ＩＰ構内交換機に送信し、前記ＩＰ構内交換機に予め記憶されたＭＡＣアドレステーブルを参照することにより、受信したＭＡＣアドレスが運用対象ＩＰ電話機のものであるか否かを判定し、受信したＭＡＣアドレスが運用対象ＩＰ電話機のものである場合に、前記ＩＰ構内交換機に予め記憶された電話番号・ＩＰアドレステーブルを参照することにより、割当可能な一対の電話番号およびＩＰアドレスを読み出して、当該電話番号およびＩＰアドレスを前記１台のＩＰ電話機に順次または同時に送信するとともに、割当済みの電話番号およびＩＰアドレスに使用済みフラグを立て、受信した電話番号およびＩＰアドレスを前記１台のＩＰ電話機内に格納するから、ＩＰ電話機のＩＰ構内交換機へのＬＡＮ接続を契機として、ＩＰ構内交換機によって当該ＩＰ電話機のＭＡＣアドレスと関連付けて電話番号およびＩＰアドレスを当該ＩＰ電話機に付与する登録動作が自動的に行われることにより大量のＩＰ電話機の追加を伴うシステム構築時等の煩雑な設定作業が無くなるので、ＩＰ電話システム構築コストを大幅に削減することが可能になる。
【００１１】
第２発明によれば、ＩＰ構内交換機と、該ＩＰ構内交換機にＬＡＮ接続される複数のＩＰ電話機とを備えるＩＰ電話システムにおいて、前記複数のＩＰ電話機のそれぞれに固有の電話番号および固有のＩＰアドレスを割り付けて運用する際には、前記ＩＰ構内交換機からＬＡＮに、新規運用ＩＰ電話機向けメッセージを周期的に送信し、前記ＩＰ構内交換機への１台のＩＰ電話機のＬＡＮ接続に伴う前記新規運用ＩＰ電話機向けメッセージの受信時に、当該ＩＰ電話機に登録されているＭＡＣアドレスおよび仮ＩＰアドレスを読み出して前記ＩＰ構内交換機に送信し、前記ＩＰ構内交換機に予め記憶されたＭＡＣアドレステーブルを参照することにより、受信したＭＡＣアドレスおよび仮ＩＰアドレスが運用対象ＩＰ電話機のものであるか否かを判定し、受信したＭＡＣアドレスおよび仮ＩＰアドレスが運用対象ＩＰ電話機のものであった場合に、前記ＩＰ構内交換機に予め記憶された電話番号・ＩＰアドレステーブルを参照することにより、割当可能な一対の電話番号およびＩＰアドレスを読み出して、当該電話番号およびＩＰアドレスを順次または同時に前記１台のＩＰ電話機に送信するとともに、割当済みの電話番号およびＩＰアドレスに使用済みフラグを立て、受信した電話番号およびＩＰアドレスを前記１台のＩＰ電話機内に格納するから、ＩＰ電話機のＩＰ構内交換機へのＬＡＮ接続を契機として、ＩＰ構内交換機によって当該ＩＰ電話機のＭＡＣアドレスと関連付けて電話番号およびＩＰアドレスを当該ＩＰ電話機に付与する登録動作が自動的に行われることにより大量のＩＰ電話機の追加を伴うシステム構築時等の煩雑な設定作業が無くなるので、ＩＰ電話システム構築コストを大幅に削減することが可能になる。
【００１２】
第３発明によれば、ＩＰ電話機をＬＡＮ接続するためのＬＡＮインターフェースと、各種ＩＰ電話交換制御を司る制御部と、前記ＭＡＣアドレステーブルおよび前記電話番号・ＩＰアドレステーブルを含む各種情報を記憶する記憶部とを備え、接続を要求したＩＰ電話機に電話番号およびＩＰアドレスを自動割り付けする機能を有するようにＩＰ構内交換機を構成したから、このＩＰ構内交換機は第１発明のＩＰ電話機の電話番号自動割付方式に適したものとなる。
【００１３】
第４発明によれば、ＩＰ電話機をＬＡＮ接続するためのＬＡＮインターフェースと、各種ＩＰ電話交換制御を司る制御部と、前記ＭＡＣアドレステーブル、前記電話番号・ＩＰアドレステーブルおよび前記新規運用ＩＰ電話機向けメッセージを含む各種情報を記憶する記憶部とを備え、新規運用ＩＰ電話機向けメッセージをＬＡＮに周期的に送信する機能と、接続を要求したＩＰ電話機に電話番号およびＩＰアドレスを自動割り付けする機能とを有するようにＩＰ構内交換機を構成したから、このＩＰ構内交換機は第２発明のＩＰ電話機の電話番号自動割付方式に適したものとなる。
【発明を実施するための最良の形態】
【００１４】
以下、本発明を実施するための最良の形態を図面に基づき詳細に説明する。
図１は本発明の第１実施形態のＩＰ電話機の電話番号自動割付方式の実施に用いるＩＰ電話システムの全体構成を示す図である。本実施形態のＩＰ電話機の電話番号自動割付方式は、事業所の社内ＬＡＮ等によって構築されるＩＰ電話システムに適用されるものであり、図１に示すように、ＩＰ構内交換機（以下、ＩＰ−ＰＢＸという）１と、ＩＰ−ＰＢＸ１にＬＡＮ２を介して内線接続される複数（図１には２台のみを記載している）のＩＰ電話機３−１，３−２，・・とを具備して成る。
【００１５】
上記ＩＰ−ＰＢＸ１は、図１に示すように、ＩＰ電話機３−１，３−２，・・をＬＡＮ接続するためのＬＡＮインターフェース部４と、各種ＩＰ電話交換制御を司る制御部５と、後述するＭＡＣアドレステーブルおよび電話番号・ＩＰアドレステーブルを含む各種情報を記憶する記憶部６とを備えて成り、接続を要求したＩＰ電話機に電話番号およびＩＰアドレスを自動割り付けする機能を有している。このＩＰ−ＰＢＸ１は、制御部５から発せられる指令に応じて記憶部６から読み出された「接続に必要な各種情報（ＩＰアドレスおよび内線番号）」がＬＡＮインターフェース部４およびＬＡＮ２を経由してＩＰ電話機３−１，３−２，・・に送出されるとともに、ＩＰ電話機３−１，３−２，・・から送信されたＭＡＣアドレス等の情報がＬＡＮ２およびＬＡＮインターフェース部４を経由して制御部に伝達された後、記憶部６に記憶保持されるように構成されている。
【００１６】
上記複数のＩＰ電話機３−１，３−２，・・は、自己のＩＰ電話機をＩＰ−ＰＢＸ１にＬＡＮ接続するためのＬＡＮインターフェース部７と、各種ＩＰ電話機制御を司る制御部８と、当該ＩＰ電話機に固有のＭＡＣアドレスや接続に必要な各種情報を記憶する記憶部９とを具備して成る。
【００１７】
図２（ａ）はＩＰ構内交換機１の記憶部６に予め記憶されたＭＡＣアドレステーブル１０および電話番号・ＩＰアドレステーブル１１を例示する図であり、図２（ｂ）はＩＰ電話機の記憶部９のＭＡＣアドレス記憶部９ａに予め記憶されたＭＡＣアドレスおよびＩＰ電話機の記憶部９の割当記憶部９ｂに転送されて格納されたＩＰアドレスおよび電話番号（内線番号）を例示する図である。
上記ＭＡＣアドレステーブル１０は、図２（ａ）に示すように、接続対象とするＩＰ電話機に固有のＭＡＣアドレスを集めたテーブルであり、システム構築時等にＩＰ−ＰＢＸ１の記憶部６に予め記保持憶しておくものとする。
上記電話番号・ＩＰアドレステーブル１１は、割当可能なＩＰアドレスと、割当可能な電話番号（内線番号）と、割り当てたときに立てる使用済フラグとを関連付けてＩＰ−ＰＢＸ１の記憶部６に記憶保持するものであり、上記ＭＡＣアドレステーブル１０とも関連付けられている。図示の例は、対象ＭＡＣアドレスが「ａａ：ｂｂ：ｃｃ：ｄｄ：ｅｅ：ｆｆ」であるＩＰ電話機に対して、ＩＰアドレス「２１３．２０１．１０１．１」および内線番号「１００１」が割り当てられ、使用済フラグが立った状態等を示している。
上記ＩＰ電話機の記憶部９のＭＡＣアドレス記憶部９ａには、「ａａ：ｂｂ：ｃｃ：ｄｄ：ｅｅ：ｆｆ」という固有のＭＡＣアドレスが予め記憶されている。
上記ＩＰ電話機の記憶部９の割当記憶部９ｂには、後述するようにしてＩＰ−ＰＢＸ１によって自動的に割り当てられ転送されてきたＩＰアドレス「２１３．２０１．１０１．１」および内線番号「１００１」が格納されることになり、格納完了後には当該ＩＰ電話機が運用可能な状態になる。
【００１８】
次に、本実施形態のＩＰ電話システムにおいて実行するＩＰ電話機の電話番号自動割付動作を図３に基づいて説明する。
図３は第１実施形態のＩＰ電話システムにおいてＩＰ構内交換機によって実行される電話番号自動割付動作を示すシーケンス図であり、この電話番号自動割付動作は、ＩＰ電話機のＩＰ構内交換機へのＬＡＮ接続を契機として実行するものとする。以下においては、ＩＰ電話機３−１をＩＰ−ＰＢＸ１へＬＡＮ接続する場合を例に挙げて説明する。
【００１９】
まず、図３において、ＩＰ−ＰＢＸ１が属するＬＡＮ２にＩＰ電話機３−１のＬＡＮインターフェース部７が接続されると、ＩＰ電話機３−１のＬＡＮインターフェース部７から制御部８に接続通知が送出され、この接続通知を受けた制御部８は記憶部９にＭＡＣアドレスの読み出しを要求するＭＡＣ読出要求を送出する。このＭＡＣ読出要求を受けた記憶部９は、ＭＡＣアドレス記憶部９ａに予め記憶（登録）されている「ａａ：ｂｂ：ｃｃ：ｄｄ：ｅｅ：ｆｆ」という自己に固有のＭＡＣアドレスを読み出して、制御部８に送信する。このＭＡＣアドレスを受けた制御部８は、例えばＤＨＣＰプロトコルを使用して、ＬＡＮインターフェース部７を経て、上記ＭＡＣアドレスを記載したＭＡＣ通知をＩＰ収得依頼とともにＩＰ−ＰＢＸ１に送信する。
【００２０】
上記ＭＡＣ通知およびＩＰ収得依頼をＬＡＮ２およびＬＡＮインターフェース部４経由で受信したＩＰ−ＰＢＸ１の制御部５は、記憶部６に予め記憶されたＭＡＣアドレステーブル１０を参照することにより、受信したＭＡＣアドレスが運用対象ＩＰ電話機のものであるか否かをチェックする。この場合、図２（ａ）に示すＭＡＣアドレステーブル１０に登録されたＭＡＣアドレス（対象ＭＡＣアドレス）であるので、記憶部６から制御部５にＭＡＣチェックＯＫが返送されることになる。このＭＡＣチェックＯＫを受けた制御部５は、記憶部６にＩＰ割当要求を送出し、このＩＰ割当要求に応じて記憶部６に予め記憶された電話番号・ＩＰアドレステーブル１１を参照することにより、割当可能なＩＰアドレス（図２（ａ）に示す例では、「２１３．２０１．１０１．１」）を読み出してそのＩＰアドレスを記載したＩＰ通知を記憶部６から制御部５に返送する。このＩＰ通知を受けた制御部５は、例えばＤＨＣＰプロトコルを使用して、ＬＡＮインターフェース部４およびＬＡＮ２を経てＩＰ電話機３−１に上記ＩＰ通知を送出する。上記ＩＰ通知がＩＰ電話機３−１のＬＡＮインターフェース部７から制御部８を経て記憶部９に送出され、記憶部９に格納されたとき、上記ＩＰアドレスがＩＰ電話機３−１に付与（登録）されることになる。
【００２１】
上記ＩＰアドレスの付与が完了すると、ＩＰ−ＰＢＸ１の制御部５から記憶部６にＩＰ割付済通知が送出される。その後、制御部５は記憶部６に内線割当要求を送出するとともに、この内線割当要求に応じて記憶部６に予め記憶された電話番号・ＩＰアドレステーブル１１を参照することにより、割当可能な電話番号（内線番号）（図２（ａ）に示す例では、「１１０１」）を読み出してその内線番号を記載した内線通知を記憶部６から制御部５に返送する。この内線通知を受けた制御部５は、この内線番号をＩＰ電話機３−１に付与済みの上記ＩＰアドレスと関連付けた後、例えばＤＨＣＰプロトコルを使用して、上記内線番号およびＰＢＸ情報（ゲートキーパのＩＰアドレス）を記載した内線／ＰＢＸ情報通知をＬＡＮインターフェース部４およびＬＡＮ２を経てＩＰ電話機３−１に送出する。上記内線／ＰＢＸ情報通知がＩＰ電話機３−１のＬＡＮインターフェース部７から制御部８を経て記憶部９に送出され、記憶部９に格納されたとき、上記内線番号がＩＰ電話機３−１に付与（登録）されることになる。上記内線／ＰＢＸ情報通知の送出と同時に、ＩＰ−ＰＢＸ１の制御部５は、上記ＩＰ電話機３−１に割り当てたＩＰアドレスおよび内線番号が使用済みであることを示す内線割当済通知を記憶部６に送出するので、該内線割当済通知に応じて図２（ａ）の電話番号・ＩＰアドレステーブル１１の該当欄には割当済フラグが立てられることになる。
なお、上記図３においては、ＩＰアドレス付与後に内線番号を付与するようにしているが、一対のＩＰアドレスおよび内線番号を電話番号・ＩＰアドレステーブル１１から読み出して、両者をＩＰ電話機３−１に同時に付与するようにしてもよい。
【００２２】
ＩＰ電話機３−１において、上記内線／ＰＢＸ情報通知の記憶部９への格納が完了すると、制御部８からＬＡＮインターフェース部７およびＬＡＮ２を経てＩＰ−ＰＢＸ１に完了通知が送出され、該完了通知をＬＡＮインターフェース部４を経て受けたＩＰ−ＰＢＸ１の制御部５は、記憶部６にデータ格納通知を送出し、それを受けた記憶部６からデータ格納完了通知が返送される。その後、ＩＰ−ＰＢＸ１は、ＩＰ電話機３−１に付与したＩＰアドレスおよび内線番号ならびにＰＢＸ情報（ゲートキーパのＩＰアドレス）に基づいて、ＩＰ電話機３−１の接続動作を行う。
【００２３】
以上説明したように、本実施形態のＩＰ電話機の電話番号自動割付方式によれば、ＩＰ−ＰＢＸ１に「内線番号、ＩＰアドレス、ＭＡＣアドレス等のＩＰ電話機の接続に必要な情報」を記憶保持させてあるので、ＩＰ電話機（例えばＩＰ電話機３−１）をＩＰ−ＰＢＸ１へＬＡＮ接続するだけで、当該ＩＰ電話機にはＩＰ−ＰＢＸ１によって当該ＩＰ電話機のＭＡＣアドレスと関連付けてＩＰアドレスおよび内線番号が自動的に割り当てられ、ＩＰ−ＰＢＸ１には当該ＩＰ電話機に割り当てたＩＰアドレスおよび内線番号と、当該ＩＰ電話機のＭＡＣアドレスとを関連付けたデータベースであるＭＡＣアドレステーブル１０および電話番号・ＩＰアドレステーブル１１が自動的に形成されるので、大量のＩＰ電話機の追加を伴うシステム構築時等の煩雑な手動設定作業が無くなり、ＩＰ電話システム構築コストを大幅に削減することが可能になる。
【００２４】
また、本実施形態のＩＰ電話機の電話番号自動割付方式によれば、ＩＰ電話機をＩＰ−ＰＢＸ１へＬＡＮ接続するだけで当該ＩＰ電話機を内線電話機として運用することが可能になるので、例えば本実施形態のＩＰ電話機の電話番号自動割付方式を事業所の社内ＬＡＮ等によって構築されるＩＰ電話システムに適用した場合には、上記電話番号自動割付機能によってＩＰ電話機の追加工事や保守作業が容易になり、運用上有利である。
【００２５】
次に、本発明の第２実施形態について説明する。本発明の第２実施形態のＩＰ電話機の電話番号自動割付方式は、上記図１のＩＰ電話システムを用いるが、構成が一部相違している。すなわち、第２実施形態のＩＰ−ＰＢＸ１は、上記第１実施形態と同様の「接続を要求したＩＰ電話機に電話番号およびＩＰアドレスを自動割り付けする機能」に加えて、「新規運用ＩＰ電話機向けメッセージをＬＡＮ２に周期的に送信する機能」を備えるように構成されており、そのために、ＩＰ−ＰＢＸ１の記憶部６には、上記ＭＡＣアドレステーブル１０、電話番号・ＩＰアドレステーブル１１に加えて「新規運用ＩＰ電話機向けメッセージ」が記憶保持されている。
【００２６】
次に、本実施形態のＩＰ電話システムにおいて実行するＩＰ電話機の電話番号自動割付動作を図４に基づいて説明する。
図４は第２実施形態のＩＰ電話システムにおいてＩＰ構内交換機によって実行される電話番号自動割付動作を示すシーケンス図であり、この電話番号自動割付動作は、ＩＰ−ＰＢＸ１からＬＡＮ２に新規運用ＩＰ電話機向けメッセージを周期的に送信している間に、ＩＰ電話機のＩＰ構内交換機へのＬＡＮ接続がなされたことを契機として実行するものとする。以下においては、ＩＰ電話機３−１をＩＰ−ＰＢＸ１へＬＡＮ接続する場合を例に挙げて説明する。
【００２７】
図４においては、ＩＰ−ＰＢＸ１の制御部５から、各々の接続対象ＩＰ電話機の固定ＩＰアドレス（仮ＩＰアドレス）を用いて、接続通知がＬＡＮインターフェース部４を経てＬＡＮ２に周期的に送信されている。その間に、ＩＰ電話機３−１がＩＰ−ＰＢＸ１にＬＡＮ接続されると、ＬＡＮ２に周期的に送信を指示されている「新規運用ＩＰ電話機向けメッセージ」がＩＰ電話機３−１のＬＡＮインターフェース部７に受信され、それと同時に、ＬＡＮ２経由で送信されてきた接続通知がＬＡＮインターフェース部７から制御部８に送出され、この接続通知を受けた制御部８は記憶部９にＭＡＣアドレスの読み出しを要求するＭＡＣ読出要求を送出する。このＭＡＣ読出要求を受けた記憶部９は、ＭＡＣアドレス記憶部９ａに予め記憶（登録）されている「ａａ：ｂｂ：ｃｃ：ｄｄ：ｅｅ：ｆｆ」という自己に固有のＭＡＣアドレスを読み出して該ＭＡＣアドレスを記載したＭＡＣ通知を作成して、上記接続通知とともに制御部８に送信する。上記ＭＡＣアドレス通知および上記接続通知を受けた制御部８は、例えばＤＨＣＰプロトコルを使用して、ＬＡＮインターフェース部７を経て、上記ＭＡＣアドレスに接続完了情報を加えた接続完了・ＭＡＣ通知をＩＰ−ＰＢＸ１に送信する。
【００２８】
上記接続完了・ＭＡＣ通知をＬＡＮ２およびＬＡＮインターフェース部４経由で受信したＩＰ−ＰＢＸ１の制御部５は、該接続完了・ＭＡＣ通知に記載されたＭＡＣアドレスおよび固定ＩＰアドレスに基づいて記憶部６に予め記憶されたＭＡＣアドレステーブル１０（本実施形態の場合、ＭＡＣアドレステーブルには固定ＩＰアドレスも関連付けて記憶保持されているものとする）を参照することにより、受信したＭＡＣアドレスが運用対象ＩＰ電話機のものであるか否かをチェックする。この場合、図２（ａ）に示すＭＡＣアドレステーブル１０に登録されたＭＡＣアドレス（対象ＭＡＣアドレス）であるので、記憶部６から制御部５にＭＡＣチェックＯＫが返送されることになる。このＭＡＣチェックＯＫを受けた制御部５は、記憶部６にＩＰアドレスおよび内線番号の割り当てを要求するＩＰ／内線要求を送出し、このＩＰ／内線要求に応じて記憶部６に予め記憶された電話番号・ＩＰアドレステーブル１１を参照することにより、割当可能な一対のＩＰアドレスおよび内線番号（図２（ａ）に示す例では、「２１３．２０１．１０１．１」および「１００１」）を読み出して、当該ＩＰアドレスおよび内線番号を記載したＩＰ／内線通知を記憶部６から制御部５に返送する。このＩＰ／内線通知を受けた制御部５は、上記ＩＰ／内線通知にさらにＰＢＸ情報（ゲートキーパのＩＰアドレス）を加えたＩＰ／内線／ＰＢＸ情報通知を、例えばＤＨＣＰプロトコルを使用して、ＬＡＮインターフェース部４およびＬＡＮ２を経てＩＰ電話機３−１に送出する。このＩＰ通知がＩＰ電話機３−１のＬＡＮインターフェース部７から制御部８を経て記憶部９に送出され、記憶部９に格納されたとき、上記内線番号がＩＰ電話機３−１に付与（登録）されるとともに、ＩＰ電話機３−１に予め記憶されていた固定ＩＰアドレスが上記付与されたＩＰアドレスに置き換えられることになる。
【００２９】
上記ＩＰ／内線通知の送出と同時に、ＩＰ−ＰＢＸ１の制御部５は、上記ＩＰ電話機３−１に割り当てたＩＰアドレスおよび内線番号が使用済みであることを示すＩＰ／内線割当済通知を記憶部６に送出するので、該ＩＰ／内線割当済通知に応じて図２（ａ）の電話番号・ＩＰアドレステーブル１１の該当欄には割当済フラグが立てられることになる。
なお、上記図４においては、ＩＰアドレスおよび内線番号を同時に付与するようにしているが、ＩＰアドレス付与後に内線番号を付与するようにしてもよい。
【００３０】
ＩＰ電話機３−１において、上記ＩＰ／内線／ＰＢＸ情報通知の記憶部９への格納が完了すると、制御部８からＬＡＮインターフェース部７およびＬＡＮ２を経てＩＰ−ＰＢＸ１に完了通知が送出され、該完了通知をＬＡＮインターフェース部４を経て受けたＩＰ−ＰＢＸ１の制御部５は、記憶部６にデータ格納通知を送出し、それを受けた記憶部６からデータ格納完了通知が返送される。その後、ＩＰ−ＰＢＸ１は、ＩＰ電話機３−１に付与したＩＰアドレスおよび内線番号ならびにＰＢＸ情報（ゲートキーパのＩＰアドレス）に基づいて、ＩＰ電話機３−１の接続動作を行う。
【００３１】
以上説明したように、本実施形態のＩＰ電話機の電話番号自動割付方式によれば、ＩＰ−ＰＢＸ１に「内線番号、ＩＰアドレス、ＭＡＣアドレス等のＩＰ電話機の接続に必要な情報」を記憶保持させてあるので、ＩＰ−ＰＢＸ１からＬＡＮ２に新規運用ＩＰ電話機向けメッセージを周期的に送信している間に、ＩＰ電話機（例えばＩＰ電話機３−１）をＩＰ−ＰＢＸ１へＬＡＮ接続するだけで、当該ＩＰ電話機にはＩＰ−ＰＢＸ１によって当該ＩＰ電話機のＭＡＣアドレスと関連付けてＩＰアドレスおよび内線番号が自動的に割り当てられ、ＩＰ−ＰＢＸ１には当該ＩＰ電話機に割り当てたＩＰアドレスおよび内線番号と、当該ＩＰ電話機のＭＡＣアドレスとを関連付けたデータベースであるＭＡＣアドレステーブル１０および電話番号・ＩＰアドレステーブル１１が自動的に形成されるので、大量のＩＰ電話機の追加を伴うシステム構築時等の煩雑な手動設定作業が無くなり、ＩＰ電話システム構築コストを大幅に削減することが可能になる。
【００３２】
また、本実施形態のＩＰ電話機の電話番号自動割付方式によれば、ＩＰ電話機をＩＰ−ＰＢＸ１へＬＡＮ接続するだけで当該ＩＰ電話機を内線電話機として運用することが可能になるので、例えば本実施形態のＩＰ電話機の電話番号自動割付方式を事業所の社内ＬＡＮ等によって構築されるＩＰ電話システムに適用した場合には、上記電話番号自動割付機能によってＩＰ電話機の追加工事や保守作業が容易になり、運用上有利である。
【図面の簡単な説明】
【００３３】
【図１】本発明の第１実施形態のＩＰ電話機の電話番号自動割付方式の実施に用いるＩＰ電話システムの全体構成を示す図である。
【図２】（ａ）はＩＰ構内交換機の記憶部に予め記憶されたＭＡＣアドレステーブルおよび電話番号・ＩＰアドレステーブルを例示する図であり、（ｂ）はＩＰ電話機の記憶部のＭＡＣアドレス記憶部に予め記憶されたＭＡＣアドレスおよびＩＰ電話機の記憶部の割当記憶部に転送されて格納されたＩＰアドレスおよび電話番号（内線番号）を例示する図である。
【図３】第１実施形態のＩＰ電話システムにおいてＩＰ構内交換機によって実行される電話番号自動割付動作を示すシーケンス図である。
【図４】第２実施形態のＩＰ電話システムにおいてＩＰ構内交換機によって実行される電話番号自動割付動作を示すシーケンス図である。
【符号の説明】
【００３４】
１  ＩＰ構内交換機（ＩＰ−ＰＢＸ）
２  ＬＡＮ
３−１，３−２，・・  ＩＰ電話機
４，７  ＬＡＮインターフェース部
５，８  制御部
６，９  記憶部
１０  ＭＡＣアドレステーブル
１１  電話番号・ＩＰアドレステーブル
【図１】
2006108876.tif 000003
【図２】
2006108876.tif 000004
【図３】
2006108876.tif 000005
【図４】
2006108876.tif 000006